【手続補正書】
【提出日】令和3年6月22日(2021.6.22)
【手続補正１】
【補正対象書類名】明細書
【補正対象項目名】発明の名称
【補正方法】変更
【補正の内容】
【発明の名称】画像装置及び方法
【手続補正２】
【補正対象書類名】特許請求の範囲
【補正対象項目名】全文
【補正方法】変更
【補正の内容】
【特許請求の範囲】
【請求項１】
複数の画素を含む撮像素子の第１の領域に対応する画像データを出力する第１のモードと、前記第１の領域よりも狭い第２の領域に対応する画像データを出力する第２のモードを設定することが可能であり、画像データの出力サイズとして、少なくとも、第１のサイズ、第２のサイズ、第３のサイズを含む、複数のサイズのいずれかを選択する設定手段を有し、
前記設定手段は、前記第１のモードを設定した場合は、少なくとも前記第１のサイズ、前記第２のサイズ、および、前記第３のサイズを選択の対象とし、前記第２のモードが設定された場合は、前記第１のサイズおよび前記第３のサイズを選択の対象とするとともに、前記第２のサイズを選択の対象とせず、
前記第１のモードが設定された場合に、前記第２のサイズが選択されたときに出力される画像データは、前記第１のサイズが選択されたときに出力される画像データよりも画素数が第１の割合だけ少なくなるように縮小された画像データであり、前記第３のサイズが選択されたときに出力される画像データは、前記第２のサイズが選択されたときに出力される画像データよりも画素数が少なくなるように縮小された画像データであり、
前記第２のモードが設定された場合に、前記第３のサイズが選択されたときに出力される画像データは、前記第１のサイズが選択されたときに出力される画像データよりも画素数が少なくなるように縮小された画像データであり、
前記第２のモードが設定され、かつ、前記第３のサイズが選択されたときの画像データの画素数と、前記第１のモードが設定され、かつ、前記第３のサイズが選択されたときの画像データの画素数は、等しく、
前記第２のモードが設定され、かつ、前記第１のサイズが選択されたときの画像データの画素数は、前記第１のモードが設定され、かつ、前記第１のサイズが選択されたときの画像データの画素数よりも少なく、
前記第２のモードが設定され、かつ、前記第１のサイズが選択されたときの画像データの画素数に対して、前記第１の割合だけ少なくした画素数は、前記第３のサイズが選択されたときの画像データの画素数に基づく所定の画素数よりも少なく、
前記第２のモードが設定され、かつ、前記第１のサイズが選択されたときの画像データの画素数は、前記所定の画素数以上である
ことを特徴とする画像処理装置。
【請求項２】
前記所定の画素数は、前記第３のサイズが選択されたときの画像データの画素数と等しい値、前記第３のサイズが選択されたときの画像データの画素数に１以上の値を乗じた値、および、前記第３のサイズが選択されたときの画像データの画素数に１以上の値を加算した値のいずれかである
ことを特徴とする請求項１に記載の画像処理装置。
【請求項３】
前記複数のサイズは、さらに、第４のサイズを含み、
前記第１のモードが設定された場合に、前記第４のサイズが選択されたときに出力される画像データは、前記第２のサイズが選択されたときに出力される画像データよりも画素数が少なく、かつ、前記第３のサイズが選択されたときに出力される画像データよりも画素数が多くなるように縮小された画像データである
ことを特徴とする請求項１または２に記載の画像処理装置。
【請求項４】
前記設定手段は、前記第１のモードから前記第２のモードに変更した場合、前記第１のモードで前記第２のサイズが選択されていれば、前記第２のモードでは前記第１のサイズを選択し、前記第１のモードで前記第４のサイズが選択されていれば、前記第２のモードでは前記第３のサイズを選択する
ことを特徴とする請求項３に記載の画像処理装置。
【請求項５】
前記設定手段は、撮像に用いたレンズに応じて、前記第１のモードと前記第２のモードのいずれかを選択する
ことを特徴とする請求項１乃至４のいずれか１項に記載の画像処理装置。
【請求項６】
前記設定手段は、前記撮像素子の画素の一部が、撮像に用いたレンズのイメージサークルに含まれない場合に、前記第２のモードを設定する
ことを特徴とする請求項５に記載の画像処理装置。
【請求項７】
前記設定手段は、前記撮像素子の全ての画素が、撮像に用いたレンズのイメージサークルに含まれる場合に、前記第１のモードを設定する
ことを特徴とする請求項５または６に記載の画像処理装置。
【請求項８】
前記撮像素子と、
交換レンズを着脱するレンズマウントと
を更に備えることを特徴とする請求項５乃至７のいずれか１項に記載の画像処理装置。
【請求項９】
前記設定手段は、フルサイズセンサ用の交換レンズを装着して撮像が行われた場合には、前記第１のモードを設定し、ＡＰＳ−Ｃセンサ用の交換レンズを装着して撮像が行われた場合には、前記第２のモードを設定する
ことを特徴とする請求項８に記載の画像処理装置。
【請求項１０】
前記撮像素子の前記複数の画素それぞれから、画像データを読み出す読み出し手段を有し、
前記設定手段は、前記読み出した画像データのサイズを、前記第１のモードと前記第２のモードのうちの設定したモードと、前記複数のサイズのうちの選択したサイズに基づいて、変換する
ことを特徴とする請求項８または９に記載の画像処理装置。
【請求項１１】
前記設定手段は、前記撮像素子の前記複数の画素のうち、前記第１のモードと前記第２のモードのうちの設定したモードに対応する領域の画素それぞれから、画像データを読み出す読み出し手段を有し、
前記設定手段は、前記読み出した画像データサイズを、前記複数のサイズのうちの選択したサイズに基づいて、変換する
ことを特徴とする請求項８または９に記載の画像処理装置。
【請求項１２】
設定手段が、複数の画素を含む撮像素子の第１の領域に対応する画像データを出力する第１のモードと、前記第１の領域よりも狭い第２の領域に対応する画像データを出力する第２のモードを設定することが可能であり、画像データの出力サイズとして、少なくとも、第１のサイズ、第２のサイズ、第３のサイズを含む、複数のサイズのいずれかを選択する工程を有し、
前記設定手段が前記第１のモードを設定した場合は、少なくとも前記第１のサイズ、前記第２のサイズ、および、前記第３のサイズを選択の対象とし、前記第２のモードが設定された場合は、前記第１のサイズおよび前記第３のサイズを選択の対象とするとともに、前記第２のサイズを選択の対象とせず、
前記第１のモードが設定された場合に、前記第２のサイズが選択されたときに出力される画像データは、前記第１のサイズが選択されたときに出力される画像データよりも画素数が第１の割合だけ少なくなるように縮小された画像データであり、前記第３のサイズが選択されたときに出力される画像データは、前記第２のサイズが選択されたときに出力される画像データよりも、画素数が少なくなるように縮小された画像データであり、
前記第２のモードが設定された場合は、前記第３のサイズが選択されたときに出力される画像データは、前記第１のサイズが選択されたときに出力される画像データよりも画素数が少なくなるように縮小された画像データであり、
前記第２のモードが設定され、かつ、前記第３のサイズが選択されたときの画像データの画素数と、前記第１のモードが設定され、かつ、前記第３のサイズが選択されたときの画像データの画素数は、等しく、
前記第２のモードが設定され、かつ、前記第１のサイズが選択されたときの画像データの画素数は、前記第１のモードが設定され、かつ、前記第１のサイズが選択されたときの画像データの画素数よりも少なく、
前記第２のモードが設定され、かつ、前記第１のサイズが選択されたときの画像データの画素数に対して、前記第１の割合だけ少なくした画素数は、前記第３のサイズが選択されたときの画像データの画素数に基づく所定の画素数よりも少なく、
前記第２のモードが設定され、かつ、前記第１のサイズが選択されたときの画像データの画素数は、前記所定の画素数以上である
ことを特徴とする画像処理方法。
【手続補正３】
【補正対象書類名】明細書
【補正対象項目名】０００１
【補正方法】変更
【補正の内容】
【０００１】
本発明は、画像処理装置及び方法に関するものである。
【手続補正４】
【補正対象書類名】明細書
【補正対象項目名】０００７
【補正方法】変更
【補正の内容】
【０００７】
上記目的を達成するために、本発明の撮像装置は、複数の画素を含む撮像素子の第１の領域に対応する画像データを出力する第１のモードと、前記第１の領域よりも狭い第２の領域に対応する画像データを出力する第２のモードを設定することが可能であり、画像データの出力サイズとして、少なくとも、第１のサイズ、第２のサイズ、第３のサイズを含む、複数のサイズのいずれかを選択する設定手段を有し、前記設定手段は、前記第１のモードを設定した場合は、少なくとも前記第１のサイズ、前記第２のサイズ、および、前記第３のサイズを選択の対象とし、前記第２のモードが設定された場合は、前記第１のサイズおよび前記第３のサイズを選択の対象とするとともに、前記第２のサイズを選択の対象とせず、前記第１のモードが設定された場合に、前記第２のサイズが選択されたときに出力される画像データは、前記第１のサイズが選択されたときに出力される画像データよりも画素数が第１の割合だけ少なくなるように縮小された画像データであり、前記第３のサイズが選択されたときに出力される画像データは、前記第２のサイズが選択されたときに出力される画像データよりも画素数が少なくなるように縮小された画像データであり、前記第２のモードが設定された場合に、前記第３のサイズが選択されたときに出力される画像データは、前記第１のサイズが選択されたときに出力される画像データよりも画素数が少なくなるように縮小された画像データであり、前記第２のモードが設定され、かつ、前記第３のサイズが選択されたときの画像データの画素数と、前記第１のモードが設定され、かつ、前記第３のサイズが選択されたときの画像データの画素数は、等しく、前記第２のモードが設定され、かつ、前記第１のサイズが選択されたときの画像データの画素数は、前記第１のモードが設定され、かつ、前記第１のサイズが選択されたときの画像データの画素数よりも少なく、前記第２のモードが設定され、かつ、前記第１のサイズが選択されたときの画像データの画素数に対して、前記第１の割合だけ少なくした画素数は、前記第３のサイズが選択されたときの画像データの画素数に基づく所定の画素数よりも少なく、前記第２のモードが設定され、かつ、前記第１のサイズが選択されたときの画像データの画素数は、前記所定の画素数以上であることを特徴とする。
【手続補正５】
【補正対象書類名】明細書
【補正対象項目名】００１４
【補正方法】変更
【補正の内容】
【００１４】
なお、クロップモードとは、クロッピングやトリミングにより画角を狭める処理（クロッピング処理）を行うモードであり、画像クロップ設定部２０５を用いてユーザーが設定することができる。なお、本実施形態におけるクロッピング処理は、撮像素子１０３の全画素から画像信号を読み出して、その一部を切り出すものとして説明するが、撮像素子１０３の画素の内、予め決められた一部領域の画素から画像信号を読み出すように制御しても良い。いずれの場合も、クロッピング処理により、撮像素子１０３の全画面から得られる画像よりも狭い画角の画像が得られることになる。その場合、画像クロップ設定部２０５からの設定情報は、ＲＡＷデータ処理ブロック２０２では無く、撮像部２００に供給すれば良い。
【手続補正６】
【補正対象書類名】明細書
【補正対象項目名】００１５
【補正方法】変更
【補正の内容】
【００１５】
また、以下の説明において、クロッピング処理を行うか行わないかに関わらず、Ｌサイズの画像では、少なくとも画像に対応する撮像素子１０３の領域の各画素から、間引きや加算を行わずに画像信号を読み出す。
【手続補正７】
【補正対象書類名】明細書
【補正対象項目名】００１６
【補正方法】変更
【補正の内容】
【００１６】
ＲＡＷデータ処理ブロック２０２により処理されたＲＡＷ画像データはＪＰＥＧ現像ブロック２０３に送られ、ＹＵＶフォーマットへの変換、ノイズ除去、色空間変換、ＪＰＥＧ圧縮など様々な画像処理が行われる。このとき、記録サイズ設定部２０６からＬサイズ以外の記録サイズが設定されている場合にはリサイズ処理を行う。最後に、ＪＰＥＧフォーマットに変換された画像データは、記録部２０４で記録媒体に保存される。表示部２０７は電子ビューファインダー１０５や背面液晶１０９を含み、ライブビュー画像や撮影された画像、記録サイズやクロップモードを設定するためのメニューを表示する。
【手続補正８】
【補正対象書類名】明細書
【補正対象項目名】００１９
【補正方法】変更
【補正の内容】
【００１９】
この場合、Ｓ１サイズは、通常の撮影モードにおけるＳ２サイズよりも小さくなってしまう。そこで、第１の実施形態では画素数に所定の閾値を設け、クロップモードが設定されている場合に、閾値よりも小さいサイズを選択できないようにする。一例として、閾値をＳ２サイズの画素数の１．５倍とすると、２４００×１６００×１．５＝５．７６Ｍよりも小さいサイズを選択できないようにする。ただし、閾値の決定の仕方はこれに限られるものでは無く、１．５倍では無く任意に変更しても良いし、任意の数値を加算しても良い。ただし、その値は１以上であることが望ましい。また、本実施形態は、Ｓ２サイズを基準に閾値を計算したが、Ｌサイズを基準に計算しても良い。さらに、閾値に予め決められた画素数を用いても良い。
【手続補正９】
【補正対象書類名】明細書
【補正対象項目名】００２１
【補正方法】変更
【補正の内容】
【００２１】
なお、上記例では、クロップモードが設定されたときのＬサイズの画素数を１２Ｍとしたが、これに限られるものでは無く、予め決められた複数の画素数から選択しても良いし、ユーザーが任意の画素数を指定しても良い。また、画素数の指定方法も、例えば、画素数を直接指定したり、撮像素子の全画素に対する割合で指定しても良いし、表示部にクロップする領域を示す枠を表示する等、様々な方法が考えられる。
【手続補正１０】
【補正対象書類名】明細書
【補正対象項目名】００２２
【補正方法】変更
【補正の内容】
【００２２】
次に図４を用いて、記録サイズ設定部２０６で行われる処理について説明する。図４は第１の実施形態における記録サイズ設定処理を示すフローチャートである。まず、メニュー表示釦１０６が押されたかどうかを判定し（Ｓ４０１）、押された場合は、Ｓ４０２で、画像クロップ設定部２０５によりクロップモードが設定されたか（または、画角が変更されたか）どうかを判定する。クロップモードが設定されたと判定した場合は、Ｓ４０３で記録サイズの選択肢として、上述した例ではＬサイズとＳ２サイズを設定し、表示部２０７に表示する。一方、Ｓ４０２でクロップモードではないと判定された場合は、Ｓ４０４において記録サイズの選択肢として、全ての記録サイズ（Ｌサイズ、Ｍサイズ、Ｓ１サイズ、Ｓ２サイズ）を設定し、表示部２０７に選択可能に表示する。ユーザは十字釦１０７で所望の記録サイズを選択し、セット釦１０８を押下することで記録サイズを決定することができる。セット釦１０８が押されたかどうかを判定し（Ｓ４０５）、押された場合は、Ｓ４０６で選択された記録サイズに変更し、記録サイズ設定処理を終了させる。
【手続補正１１】
【補正対象書類名】明細書
【補正対象項目名】００３３
【補正方法】変更
【補正の内容】
【００３３】
レンズ種別判定部７０１は、レンズマウント部１０２に装着されているレンズのイメージサークルの大きさを取得し、クロップモードで撮影すべきレンズかどうかを判定し、判定結果を画像クロップ設定部２０５に通知する。画像クロップ設定部２０５は、クロップモードで撮影すべきレンズであると判定された場合にクロップモードを設定し、記録サイズ設定部２０６に設定結果を通知する。記録サイズ設定部２０６は、画像クロップ設定部２０５からクロップモードが設定されたことを受け取ると、記録サイズ変更処理を実行し、記録サイズを設定する。なお、本第２の実施形態においても、通常の撮影モードとクロップモードにおける記録サイズは、図３の表に示すものとする。
【手続補正１２】
【補正対象書類名】明細書
【補正対象項目名】００３４
【補正方法】変更
【補正の内容】
【００３４】
図８は、第２の実施形態に係る記録サイズ変更処理のフローチャートである。まず、Ｓ８０１で、現在の記録サイズを取得する。次に、Ｓ８０２で現在の記録サイズがＬサイズかどうかを判定する。Ｌサイズである場合、Ｓ８０３で現在の記録サイズを次の記録サイズに設定し、記録サイズ変更処理を終了させる。Ｓ８０２でＬサイズではない場合、Ｓ８０４でＭサイズかどうかを判定する。Ｍサイズである場合、Ｓ８０５でＬサイズを次の記録サイズに設定し、記録サイズ変更処理を終了させる。Ｓ８０４でＭサイズではない場合、Ｓ８０６でＳ１サイズかどうかを判定する。Ｓ１サイズである場合、Ｓ８０７でＳ２サイズを次の記録サイズに設定し、記録サイズ変更処理を終了させる。Ｓ８０６でＳ１サイズではない場合、Ｓ８０８で現在の記録サイズであるＳ２サイズを次の記録サイズに設定し、記録サイズ変更処理を終了させる。
【手続補正１３】
【補正対象書類名】明細書
【補正対象項目名】００３８
【補正方法】変更
【補正の内容】
【００３８】
なお、上述した第１及び第２の実施形態では、Ｌサイズの画像を読み出した後、設定された記録サイズ（縮小率）に応じて、ＪＰＥＧ現像ブロック２０３においてリサイズ処理を行う場合について説明した。しかしながら、画像クロップ設定部２０５において設定された画角に対応する領域の画素のうち、記録サイズ（縮小率）に応じて、間引きや加算を行いながら、設定された記録サイズの画像を読み出すようにしてもよい。その場合、記録サイズ設定部２０６からの情報は、ＪＰＥＧ現像ブロック２０３では無く、撮像部２００に供給すれば良い。
【手続補正１４】
【補正対象書類名】図面
【補正対象項目名】図２
【補正方法】変更
【補正の内容】
【図２】
2020005106.tif 000001
【手続補正１５】
【補正対象書類名】図面
【補正対象項目名】図５
【補正方法】変更
【補正の内容】
【図５】
2020005106.tif 000002
【手続補正１６】
【補正対象書類名】図面
【補正対象項目名】図８
【補正方法】変更
【補正の内容】
【図８】
2020005106.tif 000003